(57)【特許請求の範囲】
【請求項１】
使用者の患部をマッサージする施療部を備えた本体部と、前記本体部の両端から脚状で且つ前方へ延びるように設けられた一対の延設部とを備えていてＵ字型形状を呈するマッサージ機において、
前記延設部には、帯状体からなる把持部が設けられており、
前記帯状体の前方端は、前記延設部の先端部に取り付けられており、前記帯状体の後方端は、前記延設部の基端部に取り付けられていることを特徴とするマッサージ機。
【請求項２】
前記本体部に内蔵されたマッサージ機構は、使用者の首部をマッサージする左右一対の上マッサージ体と、使用者の肩部をマッサージする左右一対の下マッサージ体を有することを特徴とする請求項１に記載のマッサージ機。
【発明の詳細な説明】
【技術分野】
【０００１】
本発明は、使用者の患部（首部、肩部等）に対して、マッサージを行うマッサージ機に関し、特に、Ｕ字型形状を呈し、マッサージ体を施療部に確実に当接可能とするハンディタイプのマッサージ機に関する。
【背景技術】
【０００２】
従来から、首部や肩部（以下、首肩部と記載する場合がある）をマッサージするハンディタイプのマッサージ機（首肩用マッサージ機）が知られている。
たとえば、特許文献１は、全体がＵ字状に形成され且つ内部にマッサージ動作を行うマッサージ体を備えた本体部と、この本体部の長さ方向の中間部に固定されて人体をマッサージ可能なマッサージ機構と、このマッサージ機構の駆動を操作する操作部と、前記本体部に設けられて使用者に対して本体部の滑りを抑制する滑り止め部材とを備えた首肩用マッサージ機を開示する。
【０００３】
このマッサージ機の使用時には、マッサージ体の両先端部を持って開口部を広げて首部の後方から開口側が肩部の前方側に位置するように、首部の周囲にマッサージ機を掛ける。このようにすると、両先端部が肩部の前方側にならうように湾曲するため、使用者の患部（首肩部）にマッサージ体がフィットした状態を保持することができる。そして、首部や両肩部にマッサージ体が当接し、効果的なマッサージを実現することができる。
【０００４】
このマッサージ機の両端（左右の両端）には、帯状のひもが縫い付けられ、輪になっている把持部が備えられている。この把持部を使用者が使用者が下方へ引っ張ることで、首肩部に対してマッサージ体を強く押圧させ、強いマッサージ感を付与することができるようになる。
【先行技術文献】
【特許文献】
【０００５】
【特許文献１】特開２０１２−４０１７５号公報
【発明の概要】
【発明が解決しようとする課題】
【０００６】
しかしながら、上述した特許文献１には、次に示すような難点が存在することが現場での使用により明らかとなってきている。
例えば、首肩用マッサージ機に、首部を挟み込むように配備されたマッサージ体（上マッサージ体１００）と、肩（肩胛骨部分）をマッサージするように配備されたマッサージ体（下マッサージ体１１０）が配備されたものを考える。
【０００７】
その場合、図４に示すように、首肩用マッサージ機（特許文献１のマッサージ機など）で、使用者が把持部７０を下に引いて強いマッサージ感を所望した場合、上マッサージ体１００は使用者の施療部に強く接するようにはなるが、その上マッサージ体１００を支点とし、下マッサージ体１１０が使用者の施療部から浮き上がるようになってしまい（図４に示すδ）、所望とする下マッサージ体１１０によるマッサージが得られないといった不都合が生じることがある。
【０００８】
本発明は、上記の事情を鑑みてなされたものであり、Ｕ字型形状を呈するマッサージ機であって、当該マッサージ機の両端に設けられた把持部を強く引いたとしても、マッサージ体が施療部（首肩部）から離反することなく、効果的なマッサージを付与可能とする首肩用のマッサージ機を提供することを目的とする。
【課題を解決するための手段】
【０００９】
前記目的を達成するために、本発明は次の手段を講じた。
すなわち、本発明に係るマッサージ機は、使用者の患部をマッサージする施療部を備えた本体部と、前記本体部の両端から脚状に延設された一対の延設部とを備えていてＵ字型形状を呈するマッサージ機において、前記延設部には、帯状体からなる把持部が設けられており、前記帯状体の前方端は、前記延設部の先端部に取り付けられており、前記帯状体の後方端は、前記延設部の中央部に取り付けられていることを特徴とする。
【００１０】
好ましくは、前記本体部に内蔵されたマッサージ機構は、使用者の首部をマッサージする左右一対の上マッサージ体と、使用者の肩部をマッサージする左右一対の下マッサージ体を有するとよい。
また、本発明の最も好ましい形態は、使用者の患部をマッサージする施療部を備えた本体部と、前記本体部の両端から脚状で且つ前方へ延びるように設けられた一対の延設部とを備えていてＵ字型形状を呈するマッサージ機において、前記延設部には、帯状体からなる把持部が設けられており、前記帯状体の前方端は、前記延設部の先端部に取り付けられており、前記帯状体の後方端は、前記延設部の基端部に取り付けられていることを特徴とする。
【発明の効果】
【００１１】
本発明に係るマッサージ機によれば、当該マッサージ機の両端に設けられた把持部を強く引いたとしても、マッサージ体が施療部から離反することなく、効果的なマッサージを付与することが可能となる。
【図面の簡単な説明】
【００１２】
【図１】本発明のマッサージ機を首肩部に装着した状態を示した左斜視図である。
【図２】本発明のマッサージ機を首肩部に装着した状態を示した正面図である。
【図３】本発明のマッサージ機の右斜視図である。
【図４】従来のマッサージ機の欠点を示した図である。
【図５】本発明のマッサージ機を首肩部に装着した状態を示した側面図である。
【図６】マッサージ機構の内部構造を示した図である。
【図７】掴み揉み構造の拡大図である。
【発明を実施するための形態】
【００１３】
以下、本発明の実施の形態に係るマッサージ機１（特に、使用者２の首部や肩部をマッサージする首肩用マッサージ機１）を図に基づいて説明する。
以降、便宜上、図１の紙面に矢印にて示した前後方向、左右方向（幅方向）、上下方向を用いて装置の説明を行う。これは、図１のようにマッサージ機１を装着した使用者２からみた前後方向、左右方向、上下方向と一致するものとなっている。
【００１４】
図１の斜視図、図２の正面図に示すように、本実施の形態に係るマッサージ機１は、使用者２が、肩にかけて装着することができるハンディタイプのマッサージ機１である。このマッサージ機１は、図１に示すように首肩部をマッサージするのみならず、腰部や大腿部等をマッサージすることもできる。
図１、図２に示すように、このマッサージ機１は、全体としてＵ字型形状を呈する。このマッサージ機１は、使用者２の患部（図１では首肩部）に当接して、患部をマッサージする施療部３（マッサージ機構）を含む本体部４と、本体部４の両端から脚状に延設された一対の延設部５と、一方の延設部５に設けられた各種スイッチを含む操作部６と、使用者２が両手で把持する把持部７とで構成される。
【００１５】
これら本体部４及び延設部５は、施療部３を除いて、ウレタンなどのクッション材により被覆されていて、さらに、人工皮革などのカバーで全体が覆われている。施療部３に対応する部分は、たとえば伸縮性のあるメッシュ材で覆われていてもよい。
本体部４は、標準的な体格を有する使用者２の肩幅に略対応する幅を有していると共に、下方に膨出するように垂れ下がった楕円形状となっている。この垂下した部分（垂下部）が、使用者２の肩から背中部に当設し、装着時の安定感を増すように作用する。
【００１６】
この本体部４の内部には、後述する施療部３、言い換えれば、マッサージ機構８が内蔵されている。
本体部４の前面側には、マッサージ機構８に備えられた上マッサージ体１０及び下マッサージ体１１が貫通し前側に突出するための開口部が形成されている。この開口部は布体で覆われており、上マッサージ体１０及び下マッサージ体１１が使用者２の施療部３（首肩）に直接触れることはない。
【００１７】
本体部４に搭載されるマッサージ機構８としては、如何なるものであってもよいが、上述したように首部をマッサージする左右一対の上マッサージ体１０と、肩部をマッサージする左右一対の下マッサージ体１１を有するものが好ましい。上マッサージ体１０は左右に揺動することにより、使用者２の首部を挟み込むようにしてマッサージして、下マッサージ体１１は、上マッサージ体１０に対して近接離反することで、使用者２の肩部を掴むように揉むことを可能としている。
【００１８】
言い換えれば、マッサージ機構８は、使用者の肩位置Ｓより上側の施療部位に対応する上マッサージ体１０と、使用者の肩位置Ｓより下側の施療部位に対応する下マッサージ体１１を有する。
一方、図３に示すように、本体部４の左右両端部から、左右一対の延設部５が前方へ延びるように設けられている。この延設部５は、使用者２が図１、図２に示すようにマッサージ機１を装着した際に、使用者２の肩を超えて胸の位置に達する長さを有する。
【００１９】
延設部５は、断面が略円状となるようにプラスチックなどで成形されており、本体部４の左右両端側に連結されている。なお、本体部４と延設部５とは一体に成形されていてもよい。
ところで、図３に示すように、延設部５の先端側から中央部に亘って把持部７が設けられている。この把持部７は、延設部５の幅より幅狭とされた帯状体１２をその基端と先端とを延設部５に取り付けることで形成されたループ状の把持ベルト１２で構成される。把持ベルト１２は可撓性を有するものとされている。帯状体１２は、延設部５から垂れ下がる輪状なるような長さとされることが好ましい。使用者２は、把持ベルト１２に手を通してマッサージ機１を把持することにより、上マッサージ体１０及び下マッサージ体１１が揺動動作しても患部から施療部３が離れないように（密着状態で）支える。
【００２０】
詳しくいうならば、把持部７は、帯状の部材乃至はひも状の部材で構成され、その両端のみが把持部７に沿って縫い付けられ、全体として輪状になっている。この輪状に形成された把持部７をマッサージ機１を使用者２が引っ張ることでマッサージ機１の使用者２の好みの強度に応じて使用することができる。
ここで重要なのは、図１〜図３に示すように、把持部７の一方端（前方端）は、延設部５の両端の先端部に縫いつけられており、把持部７の他方端（後方端）は、延設部５の中央部（装着時に使用者２の肩の部分に対応するところ）に縫いつけられている点である。
【００２１】
このような構成を有する把持部７であれば、図５に示すように、使用者２が把持部７を下方に引っ張ったとしても、把持部７の前方端に伝わった引っ張り力は、上マッサージ体１０を首部に強く押しつけるように働く。一方で、把持部７の後方端に伝わった引っ張り力は、延設部５の中央部を使用者２の肩部に押しつける力となり、本体部４まで伝播することはない。そのため、本体部４の浮き上がり、言い換えれば、図４の如く、下マッサージ体１１が背部から浮き上がることを防ぐこととなり、上マッサージ体１０及び下マッサージ体１１でのマッサージが確実に行われることとなる。
【００２２】
このように、使用者２の患部をマッサージする施療部３を備えた本体部４と、本体部４の両端から脚状に延設された一対の延設部５とを備えていてＵ字型形状を呈するマッサージ機１において、延設部５には、帯状体１２からなる把持部７が設けられており、帯状体１２の前方端は、延設部５の先端部側に取り付けられており、帯状体１２の後方端は、延設部５の中央部に取り付けられている構成とすることで、当該マッサージ機１の両端に設けられた把持部７を強く引いたとしても、マッサージ体が施療部３がら離反することなく、効果的なマッサージを付与することが可能となる。
【００２３】
上述したように、本願発明のマッサージ機１に搭載されるマッサージ機構８は、使用者２の首部及び肩部を効果的にマッサージできるものであればよく、その機構は限定されない。
しかしながら、以下に示すマッサージ機構８を採用することは非常に好ましい。
以下、本願発明のマッサージ機１に好ましいマッサージ機構８の一例について説明する。
【００２４】
図６は、マッサージ機構８の斜視図であり、図７は、上マッサージ体１０と下マッサージ体１１との組み付け状況を詳細に示した図である。
まず、図６に示すように、本発明に好適なマッサージ機構８は、先端に施療子２０を備えた下マッサージ体１１と、先端に施療子２０を備えた上マッサージ体１０と、下マッサージ体１１及び上マッサージ体１０を揺動させてマッサージ動作を発生させる駆動機構２１と、を有した構造とされている。この駆動機構２１は、下マッサージ体１１の施療子２０を上マッサージ体１０の施療子２０に近接離反させるように、下マッサージ体１１を駆動するものとされている。上マッサージ体１０は左右方向にうねるように揺動し、互いに近接離反する。
【００２５】
図６、図７に示すように、下マッサージ体１１と上マッサージ体１０は、それぞれのマッサージ体１０，１１の基端部が重なり合うように配設されていて、左右方向に所定の間隔を空けて一対配備されているとよい。
マッサージ機構８の駆動機構２１は、左右方向を向くように配備された回転軸２２と、回転軸２２を駆動させる駆動部２３と、回転軸２２の回転力を揺動運動に変換する変換部２４と、を有し、変換部２４により変換された揺動運動により、下マッサージ体１１の施療子２０が上マッサージ体１０の施療子２０に近接離反する構成とされているとよい。
【００２６】
変換部２４は、回転軸２２に対して偏心状態で取り付けられると共に、外周面にカム面が形成された偏心ボス部２５と、下マッサージ体１１の基端に設けられ、偏心ボス部２５のカム面に嵌り込んでいる第１環状嵌合部２６と、回転軸２２の回転に伴って、下マッサージ体１１が回転することを規制する第１規制部２７と、を備えている。
第１規制部２７は、一方端が下マッサージ体１１の中途部に回動自在に枢支されていると共に、他方端がマッサージ機構８の固定部分に回動自在に枢支されているリンク部材２８とされているとよい。
【００２７】
第１規制部２７は、下マッサージ体１１の中途部に設けられたピン部材と、ピン部材の対面する位置に設けられ、且つ当該ピン部材が摺動自在に嵌り込む溝を有する摺動部材と、を有するとよい。
変換部２４は、回転軸２２に対して傾斜状態で取り付けられると共に、外周面に傾斜カム面が形成された傾斜ボス部２９と、上マッサージ体１０の基端に設けられ、傾斜ボス部２９のカム面に嵌り込んでいる第２環状嵌合部３０と、回転軸２２の回転に伴って、上マッサージ体１０が回動することを規制する第２規制部と、を備えていて、偏心ボス部２５と傾斜ボス部２９とは、回転軸２２の軸心に沿って隣接するように配備されている。
【００２８】
以上まとめれば、上記したマッサージ機構８を備えると共に、把持部７を備えた本発明のマッサージ機１を用いることで、当該マッサージ機１の両端に設けられた把持部７を強く引いたとしても、マッサージ体が施療部３から離反することなく、効果的なマッサージを付与することが可能となる。
なお、今回開示された実施形態において、明示されていない事項、例えば、作動条件や操作条件、構成物の寸法、重量などは、当業者が通常実施する範囲を逸脱するものではなく、通常の当業者であれば、容易に想定することが可能な事項を採用している。
【００２９】
例えば、把持部７ではなく、延設部５の先端部を把持するように持って、マッサージをしても何ら問題はない。
【符号の説明】
【００３０】
１    マッサージ機
２    使用者
３    施療部
４    本体部
５    延設部
６    操作部
７    把持部
８    マッサージ機構
１０  上マッサージ体
１１  下マッサージ体
１２  帯状体（把持ベルト）
２０  施療子
２１  駆動機構
２２  回転軸
２３  駆動部
２４  変換部
２５  偏心ボス部
２６  第１環状嵌合部
２７  第１規制部
２８  リンク部材
２９  傾斜ボス部
３０  第２環状嵌合部
Ｓ    肩位置
【図１】
0006780824.tif 000002
【図２】
0006780824.tif 000003
【図３】
0006780824.tif 000004
【図４】
0006780824.tif 000005
【図５】
0006780824.tif 000006
【図６】
0006780824.tif 000007
【図７】
0006780824.tif 000008